(57)【要約】【課題】  ホルダ本体の傷付きを防止でき、しかも、工具等の物品の出し入れを円滑に行うことができるツールホルダを提供する。【解決手段】  ツールホルダ１０は、ホルダ本体２０と、ホルダ本体２０に設けられ物品を収納可能な収納部３０と、収納部３０に設けられる開口部３２と、を有し、物品をホルダ本体２０の表面に沿わせて開口部３２から収納部３０に出し入れするようにしたものである。ホルダ本体２０の表面には、ホルダ本体２０の表面を物品から保護する保護部材４０が設けられる。保護部材４０の縁部のうち、挿入される物品と干渉する縁部４２は、物品の挿入方向Ｐと直交する方向線Ｑに対し、角度θ傾斜される。【選択図】図３
0003173609.tif 000002
【実用新案登録請求の範囲】
【請求項１】
ホルダ本体と、前記ホルダ本体に設けられ物品を収納可能な収納部と、前記収納部に設けられる開口部と、を有し、前記物品を前記ホルダ本体の表面に沿わせて前記開口部から前記収納部に出し入れするようにしたツールホルダにおいて、
前記ホルダ本体の表面に設けられ、前記ホルダ本体の表面を前記物品から保護する保護部材を有し、
前記保護部材の縁部のうち、挿入される前記物品と干渉する縁部を、前記物品の挿入方向と直交する方向線に対し、傾斜させたことを特徴とするツールホルダ。
【請求項２】
前記保護部材の縁部のうち、前記収納部側の縁部を、前記開口部とほぼ同じ位置に形成したことを特徴とする請求項１に記載のツールホルダ。
【考案の詳細な説明】
【技術分野】
【０００１】
本考案は、ツールホルダに関し、より詳細には、物品を円滑に出し入れできるツールホルダに関する。
【背景技術】
【０００２】
工具等の物品を腰に吊り下げたり、持ち運んだりするためのツールホルダが広く利用されている。ツールホルダでは、物品を頻繁に出し入れするため、物品との擦れによってホルダ本体の表面が傷付き易い。従来、このホルダ本体の傷付きを防ぐため、各種の技術が提案されている（たとえば、特許文献１参照）。
【０００３】
図６は、特許文献1の技術の基本構成を示す図であり、ツールホルダ１００は、ホルダ本体１０１の下部に収納部材１０２を設け、物品をホルダ本体１０１の表面１０１ａに沿わせるようにして収納部材１０２に出し入れするものである。表面１０１ａにおいて、物品が当たり易い箇所には、保護部材１０３が設けられる。ツールホルダ１００では、この保護部材１０３によって、ホルダ本体１０１の表面１０１ａの傷付きを防ぐ。
【先行技術文献】
【特許文献】
【０００４】
【特許文献１】実用新案登録第３１４８４１９号公報
【考案の概要】
【考案が解決しようとする課題】
【０００５】
しかしながら、従来のツールホルダ１００においては、保護部材１０３の上縁部１０４に物品が引っ掛かり易く、物品の出し入れがしづらいという問題がある。すなわち、上縁部１０４には段差が形成されるため、この段差に物品が載ってしまう。したがって、使用者は、引っ掛かった物品を外す必要があり、面倒であった。
【０００６】
本考案は、このような事情に鑑みてなされたものであり、その目的は、ホルダ本体の傷付きを防止できると共に、物品の出し入れを円滑に行うことができるツールホルダを提供することにある。
【課題を解決するための手段】
【０００７】
本考案のツールホルダは、ホルダ本体と、前記ホルダ本体に設けられ物品を収納可能な収納部と、前記収納部に設けられる開口部と、を有し、前記物品を前記ホルダ本体の表面に沿わせて前記開口部から前記収納部に出し入れするようにしたツールホルダにおいて、前記ホルダ本体の表面に設けられ、前記ホルダ本体の表面を前記物品から保護する保護部材を有し、前記保護部材の縁部のうち、挿入される前記物品と干渉する縁部を、前記物品の挿入方向と直交する方向線に対し、傾斜させたことを特徴とする。
【０００８】
上記考案のツールホルダは、前記保護部材の縁部のうち、前記収納部側の縁部を、前記開口部とほぼ同じ位置に形成したことを特徴とする。
【考案の効果】
【０００９】
本考案によれば、物品の挿入方向と直交する方向線に対し、保護部材の縁部を傾斜させたので、物品が保護部材の縁部に引っ掛かることを防ぐことができる。したがって、ホルダ本体の傷付きを防止でき、しかも、物品の出し入れを円滑に行うことができるツールホルダを提供することができる。
【図面の簡単な説明】
【００１０】
【図１】本考案の第１実施形態にかかるツールホルダの斜視図である。
【図２】ツールホルダの正面図である。
【図３】保護部材の正面図である。
【図４】保護部材の上縁部の作用を説明する図である。
【図５】第２実施形態にかかるツールホルダの正面図であり、（ａ）は蓋部を閉じた形態を示す図、（ｂ）は蓋部を開けた形態を示す図である。
【図６】従来のツールホルダの基本構成を説明する図である。
【考案を実施するための形態】
【００１１】
（第１実施形態）
以下、添付図面を参照して、本考案を実施するための第１実施形態について詳細に説明する。なお、実施形態の説明の全体を通して同じ要素には同じ番号を付している。
【００１２】
図１に示すように、第１実施形態にかかるツールホルダ１０は、ホルダ本体２０と、ホルダ本体２０の下部に設けられて物品（この例ではペンチ）１１が出し入れされる収納部３０と、ホルダ本体２０の上部に設けられ、ホルダ本体２０の表面を物品１１から保護する保護部材４０と、を主要素とする。
【００１３】
ホルダ本体２０は、ホルダ本体２０の表側を構成する平板状のホルダ部２１と、裏側を構成する装着部２２と、を有する。ホルダ本体２０は、たとえば化学繊維製の布材であり、高い強度と非吸水性を有する織布、不織布または編布等で構成されることが好ましい。より具体的には、高い硬度を有するナイロン製の織布やポリエステル製の織布、ポリ塩化ビニル製の織布等が好ましい。
【００１４】
装着部２２は、ホルダ本体２０の上部を裏側に折り返した部分であり、平らなリング状に形成される。装着部２２は、リベット等の留め具２３（ここでは、中央の左右１対の留め具２３）により、ホルダ部２１の裏側に固定される。なお、符号１２で示す部品は、留め具２３で固定される格納式の掛け止め部材である。この掛け止め部材１２には、安全コードのフックを掛け止めることができる。安全コードは、物品１１（この例ではペンチ）と掛け止め部材１２を繋ぎ、使用者が物品１１を出し入れするとき、誤って物品１１を手から離しても、物品１１が地上に落ちることを防ぐ。
【００１５】
収納部３０は、正面視で左右方向に複数（ここでは３つ）に区分されており、複数（ここでは３個）のポケット３１を有する。複数のポケット３１は、各々、上方および下方に開口しており、上側の開口部３２から出し入れされる物品１１をホルダ部２１との間で保持する。なお、この例では、いわゆる３丁差しの収納部を示したが、収納部は、３丁差しに格別に限定されるものではなく、少なくとも１つ以上の収納部分があれば、大きさや形態は任意である。また、収納部は、さらに別のポケット（たとえば、繊維製のメッシュ材からなるポケット）を外側に備える構成としてもよい。
【００１６】
次に、保護部材４０の構成を図２および図３に基づいて説明する。
図２に示すように、保護部材４０は、収納部３０で覆われていないホルダ部２１の上部に設けられる。保護部材４０は、ホルダ部２１の表面に留め具２３およびホルダ部２１の縁取り２５により、固定される。なお、保護部材４０の材質は、各種の合成樹脂、各種の皮革を含む任意の材料から選択可能である。また、保護部材４０は、ホルダ部２１よりも低摩擦性の材料で構成されることが望ましい。
【００１７】
図３は、保護部材４０の正面図であり、保護部材４０を実線で示し、他の部材を想像線（二点鎖線）で示している。図３に示すように、保護部材４０は、正面視で、ほぼ三角形に形成される。保護部材４０の左右の側縁部４１は、ホルダ部２１の側縁部に沿って形成される。そして、上縁部４２は、左右の一側から他側（ここでは、左側から右側）に向けて、下り傾斜に形成される。すなわち、上縁部４２は、物品の挿入方向Ｐと直交する方向線Ｑに対し、角度θ傾斜している。この角度θは、ツールホルダ１０に求められる仕様に応じて、任意の大きさに設定可能である。また、下縁部４３は、ほぼ水平方向に沿い、かつ、開口部３２とほぼ同じ位置に形成される。
【００１８】
以上の構成を有するツールホルダ１０の作用を図４に基づいて説明する。
図４に示すように、使用者は、装着部２２にベルト１３を通して、腰部にツールホルダ１０を装着し、物品１１をホルダ部２１の表面に沿うようにしてポケット３１（図１参照）に出し入れする。この出し入れの際、ホルダ部２１の表面は、保護部材４０によって保護され、傷付きが防止される。
【００１９】
そして、物品１１をポケット３１（図１参照）に挿入する際、物品の一部（たとえば、ペンチの柄の先端）１１ａが保護部材４０の上縁部４２と交差し、干渉するが、このツールホルダ１０では、上縁部４２が傾斜しているため、物品１１が上縁部４２に引っ掛かりにくい。すなわち、物品の一部１１ａは、上縁部４２の段差に当たるが、上縁部４２の傾斜に従って速やかに下方に落ち（矢印（１））、上縁部４２から外れる（矢印（２））。結果、物品１１が上縁部４２に完全に載ってしまうことが防止される。
【００２０】
したがって、ツールホルダ１０によれば、ホルダ本体２０の傷付きを防止できると共に、工具等の物品１１の出し入れを円滑に行うことができる。
【００２１】
また、保護部材４０の下縁部４３（図３参照）を開口部３２（図３参照）と同じ位置に形成したので、物品１１による損傷を受け易い開口部３２付近を確実に保護でき、ツールホルダ１０の外観を良好に維持することができる。
【００２２】
（第２実施形態）
次に、本考案にかかる第２実施形態のツールホルダを図５に基づいて説明する。なお、前述した第１実施形態にかかるツールホルダ１０と共通する部位には同じ符号を付して、重複する説明を省略することとする。
【００２３】
図５（ａ）および（ｂ）に示すように、第２実施形態のツールホルダ１０Ａは、蓋付のホルダであって、蓋部２６を有するホルダ本体２０Ａと、ホルダ本体２０Ａに設けられる収納部３０Ａと、蓋部２６の裏面（ホルダ本体の表面に相当）に設けられ、蓋部２６の裏面を物品から保護する保護部材４０Ａと、を有する。
【００２４】
ホルダ本体２０Ａは、表側を構成するホルダ部２１Ａと、裏側を構成する装着部２２Ａと、を有する。蓋部２６は、ホルダ部２１Ａの上端に連結され、この連結部分で前後に折り曲げ可能である。また、蓋部２６の裏面は、収納部３０Ａの前面に着脱可能に構成される。収納部３０Ａは、底部４５を有しており、物品全体を収納可能である。なお、収納部３０Ａに蓋部２６を着脱する手段（図５（ｂ）中、符号４６で示す）は、いわゆる面ファスナを含む任意の着脱手段から選択可能である。
【００２５】
保護部材４０Ａは、図５（ｂ）に示すように、蓋部２６を開けた形態において、正面視でほぼ三角形に形成される。保護部材４０Ａの上縁部４２Ａは、左右の一側から他側（ここでは、左側から右側）に下り傾斜に形成される。すなわち、上縁部４２Ａは、第１実施形態と同様に、物品の挿入方向と直交する方向線Ｑに対し、角度θ傾斜している。下縁部４３Ａは、水平方向に沿い、かつ、開口部３２Ａとほぼ同じ位置に形成される。
【００２６】
この第２実施形態によれば、蓋部２６を開けて、物品を収納部３０Ａに挿入する際、上縁部４２Ａが傾斜しているので、前述した第１実施形態の上縁部４２（図４参照）と同様の作用が得られ、上縁部４２Ａに物品が引っ掛かることを防ぐことができる。したがって、蓋付のツールホルダ１０Ａにおいても、第１実施形態と同様の効果を得ることができる。
【００２７】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。またその様な変更または改良を加えた形態も本考案の技術的範囲に含まれ得ることが、実用新案登録請求の範囲の記載から明らかである。
【符号の説明】
【００２８】
１０，１０Ａ  ツールホルダ
１１  物品
２０，２０Ａ  ホルダ本体
３０，３０Ａ  収納部
３２，３２Ａ  開口部
４０，４０Ａ  保護部材
４２，４２Ａ  上縁部（干渉する縁部）
４３，４３Ａ  下縁部（収納部側の縁部）
Ｐ  物品の挿入方向
Ｑ  直交する方向線
【図１】
0003173609.tif 000003
【図２】
0003173609.tif 000004
【図３】
0003173609.tif 000005
【図４】
0003173609.tif 000006
【図５】
0003173609.tif 000007
【図６】
0003173609.tif 000008